(57)【要約】【課題】簡単かつ低コストな構成で、動画と静止画をほぼ同時に撮影が可能で、且つ位相差式の焦点検出が可能な撮像装置を提供することが困難だった。【解決手段】撮影光学系と、光電変換部と第１の信号保持部および第２の信号保持部とを有する画素部を２次元に複数配列した撮像素子と、前記撮像素子を制御する制御手段と、複数の画像信号の位相差を検出する位相差検出手段と、を備えた撮像装置において、前記制御手段は、前記光電変換部で発生した電荷を前記第１の信号保持部に転送する第１の転送期間と、前記光電変換部で発生した電気を前記第２の信号保持部に転送する第２の転送期間とが重なるよう転送し、前記位相差検出手段は、前記第１の信号保持部に転送された第１の画像信号と、前記第２の信号保持部に転送された第２の画像信号との位相差を検出し、該位相差に基づいて前記撮影光学系の焦点合わせを行う、ことを特徴とする。【選択図】図５
2020048136.tif 000002
【特許請求の範囲】
【請求項１】
撮影光学系と、
光電変換部と第１の信号保持部および第２の信号保持部とを有する画素部を２次元に複数配列した撮像素子と、
前記撮像素子を制御する制御手段と、
複数の画像信号の位相差を検出する位相差検出手段と、
を備えた撮像装置において、
前記制御手段は、
前記光電変換部で発生した電荷を前記第１の信号保持部に転送する第１の転送期間と、前記光電変換部で発生した電気を前記第２の信号保持部に転送する第２の転送期間とが重なるよう転送し、
前記位相差検出手段は、
前記第１の信号保持部に転送された第１の画像信号と、前記第２の信号保持部に転送された第２の画像信号との位相差を検出し、
該位相差に基づいて前記撮影光学系の焦点合わせを行う、
ことを特徴とする撮像装置。
【請求項２】
前記画素部は、
前記光電変換部から前記第１の信号保持部へと電荷を転送する第１の転送部と、
前記光電変換部から前記第２の信号保持部へと電荷を転送する第２の転送部と、
を備え
前記第１の転送部と前記第２の転送部とが、前記光電変換部を挟んで対向する位置に配置されることを特徴とする請求項１に記載の撮像装置。
【請求項３】
前記画素部は、
前記第１の信号保持部および前記第２の信号保持部より優先的に電荷が転送される電荷リセット部を備え、
前記第１の信号保持部および前記第２の信号保持部への電荷の転送は、前記電荷リセット部への電荷の転送を、転送から非転送へと切り替えることで開始される、
ことを特徴とする請求項１又は請求項２に記載の撮像装置。
【請求項４】
前記画素部は、
前記第１の信号保持部および前記第２の信号保持部への電荷の転送と非転送を同時に切り替え可能な第３の転送部を備えること、
を特徴とする請求項１又は請求項２に記載の撮像装置。
【発明の詳細な説明】
【技術分野】
【０００１】
本発明は、撮像素子から蓄積期間の異なる複数の映像を出力する撮像装置に関する。
【背景技術】
【０００２】
動画と静止画の同時撮影を一台のカメラで行うことが出来ると、撮影シーンを動画として視聴するとともに、その動画の中の決定的なシーンを静止画としても楽しむことが出来るので、撮影された映像の価値を大きく高めることが出来る。
【０００３】
ところで一般に、再生された動画に一種のコマ送り的なパラパラ感があると品位が大きく失われてしまう。こういったパラパラ感が出ないようにするためには、一連の撮影において１フレーム期間に近い蓄積時間を設定する必要がある。すなわち、フレームレートが３０ｆｐｓであれば、１／３０秒とか１／６０秒といった比較的長い露光時間が適切となる。
【０００４】
一方、静止画においては一瞬を写し止めた鮮鋭さが求められるので、ストップモーション効果を得るためには、例えば、１／１０００秒程度の短い露光時間を設定する必要がある。
【０００５】
単一の撮影レンズを通して動画と静止画といった２つの映像を同時に撮影するということは、それらの撮影で使用される絞り値は同一ということである。したがって、動画用の撮像素子と静止画用の撮像素子を２つ搭載した撮像装置や、１つの撮像素子に動画用と静止画用の異なる光電変換部を設けたものが従来から提案されている。
【０００６】
特許文献１の撮像装置は、光電変換部により変換された電荷を蓄積部に複数回転送し、複数回転送された電荷をまとめて蓄積することで、露光時間、露光量などの条件を高速かつ自在に変化させることができる。この件を応用して、１フレーム期間において、短い蓄積期間を１フレーム期間に均等に分散させ、複数回まとめて蓄積することで動画を得る。一方、上記短い蓄積期間の間の時間を利用して、所定の蓄積期間を行うことで静止画を得る。このとき、電荷を蓄積するための信号保持部を動画用と静止画用で２つ設ける。さらには、動画の複数回の短い蓄積時間による信号電荷の量と、静止画の所定の蓄積期間による信号電荷の量とを揃えるように蓄積期間を制御する。そうすると、単一の撮像レンズ、撮像素子でも動画と静止画の画像をほぼ同時に撮影することが可能な撮像装置を実現できる。
【０００７】
また、単一の撮像レンズ、撮像素子で異なる画像信号を得る他の技術として、１対の光電変換部を２次元的に配列したマイクロレンズアレイ毎に設け、このマイクロレンズによって、１対の光電変換部よりなる画素部を撮像光学系の瞳に投影することで瞳を分離し、位相差式の焦点検出を行う方法が知られている。特許文献２には、分割した２つの光電変換部について感度が重複する領域を設け、位相差検出を行う信号をデフォーカス量によらず相似系として検出精度を向上する技術が提案されている。
【先行技術文献】
【特許文献】
【０００８】
【特許文献１】特開２０１０−１５７８９３号公報
【特許文献２】特許第４５００４３４号公報
【発明の概要】
【発明が解決しようとする課題】
【０００９】
しかしながら、特許文献１および特許文献２の２つの技術を両立しようとすると撮像素子構造が複雑になってしまう。２次元的に配置されたマイクロレンズの１つに対し、２つの光電変換部が必要であり、そのそれぞれの光電変換部に電荷を蓄積する信号保持部が２つ必要となる。結果、１つのマイクロレンズ毎に２つの光電変換部、４つの信号保持部が必要となってしまう。
【００１０】
以上から、本発明の目的は、簡単かつ低コストな構成で、動画と静止画をほぼ同時に撮影が可能で、且つ位相差式の焦点検出が可能な撮像装置を提供することにある。
【課題を解決するための手段】
【００１１】
上記の目的を達成するために、本発明に係る撮像装置は
撮影光学系と、
光電変換部と第１の信号保持部および第２の信号保持部とを有する画素部を２次元に複数配列した撮像素子と、
前記撮像素子を制御する制御手段と、
複数の画像信号の位相差を検出する位相差検出手段と、
を備えた撮像装置において、
前記制御手段は、
前記光電変換部で発生した電荷を前記第１の信号保持部に転送する第１の転送期間と、前記光電変換部で発生した電気を前記第２の信号保持部に転送する第２の転送期間とが重なるよう転送し、
前記位相差検出手段は、前記第１の信号保持部に転送された第１の画像信号と、前記第２の信号保持部に転送された第２の画像信号との位相差を検出し、
該位相差に基づいて前記撮影光学系の焦点合わせを行う、ことを特徴としている。
【発明の効果】
【００１２】
本発明によれば、簡単かつ低コストな構成で、動画と静止画をほぼ同時に撮影が可能で、且つ位相差式の焦点検出が可能な撮像装置の提供を実現できる。
【図面の簡単な説明】
【００１３】
【図１】本発明の実施形態における撮像装置の外観図である。
【図２】本発明の撮像装置の概略構成を示すブロック図である。
【図３】本発明の撮像素子の一部回路図である。
【図４】本発明の撮像素子のマイクロレンズ構造である。
【図５】本発明の撮像画素を撮像光学系側からみた物理的な配置の概念図である。
【図６】本発明のフォトダイオードからの信号転送のタイミングを説明する図である。
【図７】本発明の実施例２における撮像素子の画素のポテンシャルの概念図である。
【図８】本発明の実施例２におけるフォトダイオードからの信号転送のタイミングを説明する図である。
【図９】本発明の実施例３における撮像素子の一部回路図である。
【発明を実施するための形態】
【００１４】
以下、本発明を実施するための形態について、図面を参照しながら説明する。
【実施例１】
【００１５】
映像処理装置に撮像のための撮影光学系等を加えた撮像装置を本発明の好適な実施の形態として以下に説明する。
【００１６】
図１（ａ）、（ｂ）は本発明の実施の形態における撮像装置として、デジタルスチルモーションカメラの外観図であり。図１（ａ）は撮像装置の正面図、図１（ｂ）は撮像装置の背面図である。同図において、１５１は内部に撮像素子やシャッター装置を収納した撮像装置本体、１５２は内部に絞りを有した撮影光学系、１５３は撮影情報や映像を表示するための可動式表示部、１５４は主に静止画の撮影を行うために使用するスイッチＳＴ、１５５は動画撮影を開始および停止するための釦であるスイッチＭＶである。表示部１５３はダイナミックレンジの広い映像もその輝度範囲を抑制することなく表示できるだけの表示輝度範囲を有している。１５６は撮影モードを選択するための撮影モード選択レバー、１５７は撮像装置の機能設定を行う機能設定モードへ移行するためのメニュー釦、１５８および１５９は各種の設定値を変更するためのアップダウンスイッチ、１６０は各種の設定値を変更するためのダイアル、１６１は撮像装置本体内に収納されている記録媒体に記録されている映像を表示部１５３上で再生する再生モードへ移行するための再生ボタン、１６２は空中からの撮影を行うために撮像装置を空中に浮上させるためのプロペラである。
【００１７】
図２は本発明の撮像装置の概略構成を示すブロック図である。同図において、１８４は撮影光学系１５２を介して結像された被写体の光学像を電気的な映像信号に変換する撮像素子、１５２は被写体の光学像を撮像素子１８４に結像させる撮影光学系、１８０は撮影光学系１５２の光軸、１８１は撮影光学系１５２を通る光の量を調節するための絞りであり、絞り制御部１８２により制御される。１８３は撮像素子１８４に入射する光の波長、および、撮像素子１８４に伝達する空間周波数を制限する光学フィルターである。撮像素子１８４はＵｌｔｒａ  Ｈｉｇｈ  Ｄｅｆｉｎｉｔｉｏｎ  Ｔｅｌｅｖｉｓｉｏｎの規格を満たすに十分な画素数、信号読み出し速度、色域、ダイナミックレンジを有している。
１８７は、撮像素子１８４より出力されたデジタル映像データに各種の補正を行った後に、映像データを圧縮するデジタル信号処理部である。１８９は撮像素子１８４、デジタル信号処理部１８７に各種タイミング信号を出力するタイミング発生部、１７８は各種演算とデジタルスチルモーションカメラ全体を制御するシステム制御ＣＰＵである。タイミング発生部１８９及びシステム制御ＣＰＵ１７８は、本発明の制御手段に対応する。また、デジタル信号処理部１８７、システム制御ＣＰＵ１７８は、本発明の位相差検出手段に対応する。
【００１８】
１９０は映像データを一時的に記憶するための映像メモリ、１９１は撮影された映像を表示するための表示インターフェース部、１５３は液晶ディスプレイ等の表示部である。１９３は映像データや付加データ等を記録するための半導体メモリ等の着脱可能な記録媒体、１９２は記録媒体１９３に記録または読み出しを行うための記録インターフェース部、１９６は外部コンピュータ１９７等と通信するための外部インターフェース部である。１９５は小型インクジェットプリンタ等のプリンタ、１９４は撮影された映像をプリンタ１９５に出力し印刷するためのプリントインターフェース部である。１９９はインターネットなどのコンピュータネットワーク、１９８はネットワーク１９９と通信するための無線インターフェース部である。１７９はスイッチＳＴ１５４やスイッチＭＶ１５５や各種モードの切り替えを行う複数のスイッチを含むスイッチ入力手段である。２００は空中からの撮影を行うための飛行制御装置である。
【００１９】
図３は撮像素子１８４の一部回路図である。同図において、撮像素子１８４の多数の本発明の画素部であるところの画素要素のうち、１行１列目（１，１）の画素要素と最終行であるｍ行１列目（ｍ、１）の画素要素を示している。１行１列目（１，１）の画素要素とｍ行１列目（ｍ、１）の画素要素の構成は同じなので、構成要素は同じ番号で付番している。
【００２０】
本発明の撮像素子１８４の１つの画素要素は、１つのフォトダイオード５００に対して２つの信号保持部５０７Ａ、５０７Ｂを有していることを特徴とする。信号保持部を有する撮像素子１８４の基本構造は、本出願人により特開２０１３−１７２２１０号公報にて開示されているので説明は省略する。
【００２１】
図３の回路図において、１つの画素要素は、フォトダイオード５００と、第１の転送トランジスタ５０１Ａと、第１の信号保持部５０７Ａと、第２の転送トランジスタ５０２Ａと、第３の転送トランジスタ５０１Ｂと、第２の信号保持部５０７Ｂと、第４の転送トランジスタ５０２Ｂとを有する。さらに１つの画素要素は、第５の転送トランジスタ５０３と、フローティングディフュージョン領域５０８と、リセットトランジスタ５０４と、増幅トランジスタ５０５と、選択トランジスタ５０６とを有している。ここで、第１の転送トランジスタ５０１Ａは本発明の構成要素である第１の転送部に、第３の転送トランジスタ５０１Ｂは第２の転送部に、それぞれ対応している。
【００２２】
また、第１の転送トランジスタ５０１Ａは転送パルスφＴＸ１Ａにて制御され、第２の転送トランジスタ５０２Ａは転送パルスφＴＸ２Ａにて制御される。また、第３の転送トランジスタ５０１Ｂは転送パルスφＴＸ１Ｂにて制御され、第４の転送トランジスタ５０２Ｂは転送パルスφＴＸ２Ｂにて制御される。また、リセットトランジスタ５０４はリセットパルスφＲＥＳで制御され、選択トランジスタ５０６は選択パルスφＳＥＬで制御される。さらに第５の転送トランジスタ５０３は転送パルスφＴＸ３にて制御される。ここで各制御パルスは、不図示の垂直走査回路から送出される。
【００２３】
さらに５２０、５２１は電源線で、５２３は信号出力線である。電源線５２１は本発明の電荷リセット部に対応している。
【００２４】
本発明の撮像装置を構成する撮像素子１８４は、１つのフォトダイオード５００に対して２つの信号保持部５０７Ａ、５０７Ｂを有しているため、第１の画像（例えば静止画）と第２の画像（例えば動画）とを同時に撮影することが可能となっている。これにより、Ｓ／Ｎの低下を伴わずに蓄積期間の異なる二つの画像を読み出すことも可能である。
【００２５】
図４に示すのは撮像素子１８４のマイクロレンズ構造である。撮像素子１８４は光電変換部である複数のフォトダイオード５００から成る撮像画素群と、その上面に配置されるマイクロレンズ群６０１により構成される。図４（ｂ）に示すのは１つのフォトダイオード５００に着目した時の、フォトダイオード５００およびマイクロレンズ６０１の拡大図である。１つのフォトダイオード５００に対して、その上面を１つのマイクロレンズ６０１が覆う構造になっている。図４（ｃ）は前述の構造を撮像光学系１５３含めて斜視図で示したものである。６０２は撮像光学系１５３の有する光学瞳を示している。フォトダイオード５００は、マイクロレンズ６０１により、光学瞳６０２に対して共役な関係となっている。そして、フォトダイオード５００の左右の異なる領域５００Ｌ、５００Ｒに着目すると、光学瞳６０２の異なる領域６０１Ｌ、６０１Ｒを通過する光束が導かれるように対応付けられている。そのため、もし仮に、領域５００Ｌ、５００Ｒで光電変換される画像をそれぞれ個別に取得することが出来れば、光学瞳６０２を分割したいわゆる位相式での合焦検出が可能な２つの画像信号を取得することができる（位相差式の合焦検出方法は公知の技術であるため、説明は省略する）。
【００２６】
しかしながら、本件の撮像素子１８４では、フォトダイオード５００が１つのマイクロレンズ６０１に対して複数に分割されていない前述の撮像素子１８４のような簡素な構造をとっている。そのため、そのままでは光学瞳６０２を分割した領域に対応した、フォトダイオード５００の個別領域の画像を取得することが出来ない。本発明では、簡素な撮像素子１８４の構造でありながら、位相差式の合焦検出に必要な瞳を分割した信号を、撮像面での瞳分割により取得する方法を提案する。
【００２７】
図５は、本発明の撮像画素１８４を撮像光学系１５３側からみた物理的な配置の概念図を示している。図２で示した前述の回路と同じ構成であり、５００はフォトダイオード、５０１Ａは第１の転送トランジスタ、５０７Ａは第１の信号保持部、５０２Ａは第２の転送トランジスタ、５０１Ｂは第３の転送トランジスタ、５０７Ｂは第２の信号保持部、５０２Ｂは第４の転送トランジスタ、５０８はフローティングディフュージョン領域、５０３は第５の転送トランジスタ、５２１は電源線、それぞれ示している（前述のとおり、第１の転送トランジスタ５０１Ａが本発明の構成要素である第１の転送部に、第３の転送トランジスタ５０１Ｂが第２の転送部に、それぞれ対応している）。図５（ｂ）に示す６０３は付図示の配線層などによりマスクされる領域を示しており、フォトダイオード５００のみに光束が導かれ、限定された領域で光電変換がされる配置になっている。また、フォトダイオード５００の信号をそれぞれの信号保持部５０７へと転送する、第１の転送トランジスタ５０１Ａおよび第３の転送トランジスタ５０２Ｂは、フォトダイオード５００を挟んで対抗する位置に配置されている。
【００２８】
上記の配置において、本件では第１の転送トランジスタ５０１Ａおよび第３の転送トランジスタ５０２Ｂでの信号の転送を、それぞれの転送期間が重なるように行う。ここで、フォトダイオード５００から保持部への信号の転送のし易さは、フォトダイオード５００上の位置と、転送トランジスタとの物理的な距離に依存する。つまり、転送トランジスタとの距離が近いほど転送されやすく、転送トランジスタとの距離が遠いほど転送されにくい。よって、本件のように対向して位置する第１の転送トランジスタ５０１Ａおよび第３の転送トランジスタ５０２Ｂの転送を理想的に同時に行えば、それぞれの転送トランジスタに近い領域の電荷を分離して転送することができる。６０４Ａおよび６０４Ｂに示すのは、第１の転送トランジスタ５０１Ａおよび第３の転送トランジスタ５０２Ｂに転送される領域を概念で示しており、フォトダイオード５００上の領域が分割され、第１の信号保持部５０７Ａと第２の信号保持部５０７Ｂに別々に転送される。
【００２９】
なお、本件において必須となる配置は、フォトダイオード５００の対向する位置に信号保持部５０７と、信号保持部５０７に電荷を転送する転送トランジスタ５０１Ａおよび５０１Ｂが位置することである。この関係を保ては信号保持部５０７と対応する転送トランジスタ５０１の対の数が２対である必要はなく、４対や８対など任意の数でよい。また、必須以外の構成である、フローティングディフュージョン領域５０８、電源線５２１、の配置は限定されるものではない。図５はあくまで概念図であり、物理的な大小関係を限定するものではない。
【００３０】
図６は、本発明のフォトダイオード５００からの信号転送のタイミングを示している。
【００３１】
まず時刻ｔ１において、転送パルスφＴＸ３がオンとなり、短期間でオフへと戻る。これにより、フォトダイオード５００に蓄積された電荷が信号線５２１へと転送され、フォトダイオード５００の蓄積電荷がリセットされる。その後、時刻ｔ２において、転送パルスφＴＸ１ＡおよびφＴＸ１Ｂが同時にオンとなり、第１の転送トランジスタ５０１Ａおよび第３の転送トランジスタ５０１Ｂにより、第１の信号保持部５０７Ａおよび第２の信号保持部５０７Ｂへの電荷の転送が同時に開始される。そして、時刻ｔ３までオン状態が維持され、時刻ｔ３において転送パルスφＴＸ１ＡおよびφＴＸ１Ｂが同時にオフとなり、第１の信号保持部５０７Ａおよび第２の信号保持部５０７Ｂへの電荷の転送が同時に終了される。このように、第１の信号保持部５０７Ａへと電荷を転送する第１の転送期間７０１Ａと、第２の信号保持部５０７Ｂへと電荷を転送する第２の転送期間７０１Ｂと、が重なるように転送を行う。
【００３２】
本発明では、上記のようにして取得した領域が第１の信号保持部５０７Ａの信号および第２の信号保持部５０７Ｂの信号を用いて、位相差を検出し、位相差に基づいて撮像光学系１５２の焦点合わせを行う。
【００３３】
以上の方法により、本件では簡単かつ低コストな構成で、動画と静止画をほぼ同時に撮影が可能で、且つ位相差式の焦点検出が可能な撮像装置を提供する。
【実施例２】
【００３４】
図７を用いて、本発明の実施例２における、電荷の転送について説明する。
【００３５】
図７は撮像素子１８４の画素のポテンシャルの概念図である。ここでは、第１の転送トランジスタ５０１Ａと第３の転送トランジスタ５０１Ｂの２つの転送を理想的に同時のタイミングに近づけるための、転送工夫について説明する。その際、ポテンシャル関係のみを議論し、物理的な配置は図５とは異なる概念図としている。（ａ）〜（ｆ）は転送を行う際の時間ステップを示しており、（ｆ）側が時間的に後になっている。
【００３６】
図７（ａ）において、すべての転送トランジスタ（第１から第５の転送トランジスタ５０１Ａ、５０１Ｂ、５０２Ａ、５０２Ｂ、５０３）はオフにされ、フォトダイオード５００に信号が蓄積されている。
【００３７】
この状態から図７（ｂ）に示すように、第５の転送トランジスタがオンにされる。すると、第５の転送トランジスタ５０３のポテンシャル障壁が低くなり、フォトダイオード５００に蓄積されていた蓄積電荷が電源線５２１へと転送され、フォトダイオード５００に蓄積されていた電荷はリセットされる。この時、フォトダイオード５００へは常に光束が導かれるため、電荷は常に蓄積されるが、蓄積される電荷が随時電源線５２１へと転送されるため、フォトダイオード５００には電荷が蓄積されない。
【００３８】
次に、図７（ｃ）に示すように、第１および第３の転送トランジスタ５０１Ａ、５０１Ｂがオンにされる。この時、第１および第３の転送トランジスタ５０１Ａ、５０１Ｂのポテンシャル障壁は低くなるが、信号保持部５０７と電源線５２１とでは相対的に電源線５２１の方がポテンシャルが大きいため、電源線５２１への電荷の転送が支配的となる。そのため、第１の信号保持部５０７Ａおよび第２の信号保持部５０７Ｂには電荷はほとんど転送されない。
【００３９】
次に、図７（ｄ）に示すように、第５の転送トランジスタ５０３がオフにされる。これにより、転送トランジスタ５０３のポテンシャル障壁が高くなり、電源線５２１へは電荷が伝送されなくなる。そのため、フォトダイオード５００に蓄積される電荷は第１の信号保持部５０７Ａおよび第２の信号保持部５０７Ｂへと転送されるようになる。この時、第５の転送トランジスタがオフにされるタイミングで、第１および第２の信号保持部への蓄積電荷の転送が共通して開始されため、理想的にフォトダイオード５００からの転送タイミングを揃えることができる。
【００４０】
図７（ｅ）に示すのは、蓄積電荷の転送が進んだ状態を示している。フォトダイオード５００の電荷蓄積と、信号保持部５０７への電荷蓄積はほぼ並行して行われる。
【００４１】
次に、図７（ｆ）に示すように第１の転送トランジスタ５０１Ａおよび第３の転送トランジスタ５０１Ｂがオフにされる。第１および第３の転送トランジスタ５０１のポテンシャル障壁が高くなり、信号保持部５０７Ａ、５０７Ｂへの転送が停止される。この状態において、信号保持部５０７に転送された電荷と、フォトダイオード５００で随時蓄積される電荷とでは、信号保持部５０７に蓄積された電荷の方が十分に多いため、第１の転送トランジスタ５０１Ａと第３の転送トランジスタ５０１Ｂの転送停止のタイミングが多少ばらついたとしても、それぞれの転送トランジスタ５０１の転送への影響はさほど大きくない。
【００４２】
このようにして信号保持部５０７へと信号を転送した後に、第２の転送トランジスタ５０２Ａ、および第４の転送トランジスタ５０２Ｂの転送を個別に制御し、フローティングディフュージョン５０８への転送を個別に信号を読みだす。
【００４３】
図８は、本発明の実施例２のフォトダイオード５００からの信号転送のタイミングを示している。
【００４４】
まず時刻ｔ１において、転送パルスφＴＸ３がオンとなる。本実施例ではこのφＴＸ３がオフの状態が維持される。そして、時刻ｔ２において、転送パルスφＴＸ１ＡおよびφＴＸ１Ｂが同時にオンとなる。この時点において、第１の信号保持部５０７Ａおよび第２の信号保持部５０７Ｂに電荷の転送がほとんどされないのは前述したとおりである。次に、時刻ｔ３において、転送パルスφＴＸ３がオフとなる。これにより、第１の信号保持部５０７Ａおよび第２の信号保持部５０７Ｂへの電荷の転送が同時に開始される。そして、時刻ｔ４までオン状態が維持され、時刻ｔ４において転送パルスφＴＸ１ＡおよびφＴＸ１Ｂが同時にオフとなり、第１の信号保持部５０７Ａおよび第２の信号保持部５０７Ｂへの電荷の転送が同時に終了される。このように、第１の信号保持部５０７Ａへと電荷を転送する第１の転送期間７０２Ａと、第２の信号保持部５０７Ｂへと電荷を転送する第２の転送期間７０２Ｂと、が重なるように転送を行う。
【００４５】
以上のように、転送トランジスタ５０１、５０２、５０３のオン／オフの順番を調整することで、信号保持部５０７Ａ、信号保持部５０７Ｂ、への信号のタイミングを理想に近い状態でそろえることができる。
【実施例３】
【００４６】
図９は本件の実施例３の回路図を示している。本実施例の回路図の構成と取ることで、第１の信号保持部と第２の信号保持部への転送タイミングをより揃えることができる。また、図９の説明では、実施例１の回路図３との差分のを説明する。
【００４７】
図９の回路図においては、転送トランジスタ５０１Ａ、転送トランジスタ５０１Ｂのそれぞれの後段に第６の転送トランジスタ５０９Ａ、第７の転送トランジスタ５０９Ｂが配置される。ここで、第６の転送トランジスタ５０９Ａおよび第７の転送トランジスタ５０９Ｂは、本発明の第３の転送部に対応している。また、第６の転送トランジスタ５０９Ａおよび第７の転送トランジスタ５０９Ｂは共通の転送パルスφＴＸ４にて制御される。
【００４８】
このような回路構成とすることで、第１の転送トランジスタ５０１Ａおよび第２の転送トランジスタ５０１Ｂで個別に転送を行うのではなく、第６の転送トランジスタ５０９Ａ、第７の転送トランジスタ５０９Ｂへの共通の転送パルスφＴＸ４にて、第１の信号保持部および第２の信号保持部への電荷の転送と非転送を同時に切り替えることができる。
【符号の説明】
【００４９】
１５２  撮影光学系、５００  光電変換部、５０７Ａ  第１の信号保持部、
５０７Ｂ  第２の信号保持部、１８４  撮像素子、１８９・１７８  制御手段、
１８７・１７８  位相差検出手段
【図１】
2020048136.tif 000003
【図２】
2020048136.tif 000004
【図３】
2020048136.tif 000005
【図４】
2020048136.tif 000006
【図５】
2020048136.tif 000007
【図６】
2020048136.tif 000008
【図７】
2020048136.tif 000009
【図８】
2020048136.tif 000010
【図９】
2020048136.tif 000011